(57)【要約】【課題】ソーチェンに並ぶカッターリンク上端の刃部の目立てを行うチェンソー刃の目立て装置を提供する。【解決手段】ヤスリホルダ５０を支持するガイドフレーム６０を位置決め装着手段７０によりガイドバー１２の左右に配置された左定規フレームや右定規フレームの倣い面３２、４２の所定部位に沿わせて装着する。そして、ヤスリホルダ５０をガイドフレーム６０に沿って前方に摺動させて、ヤスリホルダに把持された上棒ヤスリ５２又は下棒ヤスリ５４により、ソーチェン１４に並ぶカッターリンク上端の刃部２２又は２４の目立てを行う。ヤスリホルダ５０は、その後部を左定規フレームや右定規フレームの倣い面３２、４２上で上方に回動させて、上棒ヤスリ５２及び下棒ヤスリ５４と共に、ガイドフレーム６０に沿って後方に移動、復帰させる。【選択図】　　　　図１
2004142004.tif 000002
【特許請求の範囲】
【請求項１】
チェンソーのガイドバー周縁を巡回するソーチェンに並ぶカッターリンク上端の右後方に傾斜する刃部の目立て面とほぼ同じ方向を向く倣い面を持つ、ガイドバーの左側の所定部位に配置された左定規フレームと、同じソーチェンに並ぶカッターリンク上端の左後方に傾斜する刃部の目立て面とほぼ同じ方向を向く倣い面を持つ、ガイドバーの右側の所定部位に配置された右定規フレームと、
前記カッターリンク上端の右後方に傾斜する刃部目立て用の上棒ヤスリとカッターリンク上端の左後方に傾斜する刃部目立て用の下棒ヤスリとをそれぞれ上下に横に並べて把持したヤスリホルダと、
該ヤスリホルダを前後に摺動自在に支持するガイドフレームと、
前記ヤスリホルダに把持された上棒ヤスリがソーチェンの目立てを行うカッターリンク上端の右後方に傾斜する刃部の目立て面に押し当てられた状態となるように、ガイドフレームをソーチェンを跨いで前記左定規フレームの倣い面の所定部位に沿わせて着脱自在に装着したり、又は前記ヤスリホルダに把持された下棒ヤスリがソーチェンの目立てを行うカッターリンク上端の左後方に傾斜する刃部の目立て面に押し当てられた状態となるように、ガイドフレームをソーチェンを跨いで前記右定規フレームの倣い面の所定部位に沿わせて着脱自在に装着したりする位置決め装着手段と、
該位置決め装着手段により左定規フレーム又は右定規フレームの倣い面の所定部位に沿わせて装着されたガイドフレーム後部をヤスリホルダと共にガイドフレーム前部を中心に左定規フレーム又は右定規フレームの倣い面上で上方に回動させて、上棒ヤスリ又は下棒ヤスリを目立てを行うカッターリンク上端の右後方又は左後方に傾斜する刃部の目立て面からその上方に離脱させると共に、ガイドフレーム及びヤスリホルダをソーチェンの上方に離隔させたり、その上方に回動させたガイドフレーム後部をヤスリホルダと共にガイドフレーム前部を中心に左定規フレーム又は右定規フレームの倣い面上で下方に回動、復帰させて、前記位置決め装着手段により、ヤスリホルダの上棒ヤスリ又は下棒ヤスリが目立てを行うカッターリンク上端の右後方又は左後方に傾斜する刃部の目立て面に再び押し当てられた状態となるように、ガイドフレームを左定規フレーム又は右定規フレームの倣い面の所定部位に沿わせて再び装着したりする回動手段とが備えられたことを特徴とするチェンソー刃の目立て装置。
【請求項２】
前記上棒ヤスリ又は下棒ヤスリにより目立てを行うカッターリンク上端の右後方又は左後方に傾斜する刃部の上端面に摺動自在に押接させて、そのカッターリンクをガイドバー周縁に動かぬように押さえ込むと共に、その目立てを行うカッターリンク上端の右後方又は左後方に傾斜する刃部の目立て面から上棒ヤスリ又は下棒ヤスリが外れぬように上棒ヤスリ又は下棒ヤスリをカッターリンクに対して上下に動かぬように位置決めするための押圧バーであって、その目立てを行うカッターリンク上端の右後方又は左後方に傾斜する刃部をヤスリホルダ上方から目視可能な形状をした押圧バーがヤスリホルダに備えられた請求項１記載のチェンソー刃の目立て装置。
【請求項３】
前記左定規フレームと右定規フレームとを、それぞれガイドバーの左側と右側との所定部位に配置するための、配置手段であって、
前記ソーチェンがガイドバー周縁を巡回可能なように、ガイドバーをその両側から左右一対の挟み口により挟み込んで基台上に起立させて固定するためのバイスと、該バイスの左側の挟み口に前記左定規フレームを該左定規フレームのバイスに対しての上下方向の位置を移動調整可能にかつ該左定規フレームのバイスに対しての前後方向の傾斜角度を回転調整可能に支持するための左支持手段と、該バイスの右側の挟み口に前記右定規フレームを該右定規フレームのバイスに対しての上下方向の位置を移動調整可能にかつ該右定規フレームのバイスに対しての前後方向の傾斜角度を回転調整可能に支持するための右支持手段とからなる配置手段が備えられた請求項１又は２記載のチェンソー刃の目立て装置。
【発明の詳細な説明】
【０００１】
【発明の属する技術分野】
本発明は、チェンソーのガイドバー周縁を巡回するソーチェンに並ぶカッターリンク上端の刃部の目立てを棒ヤスリにより一律に均一に行うための、チェンソー刃の目立て装置に関する。
【０００２】
【従来の技術及び発明が解決しようとする課題】
図１０に示したような、チェンソー１０のガイドバー１２周縁を巡回するソーチェン１４に並ぶ、図８に示したような、カッターリンク上端の刃部２６の目立てを行う場合には、従来一般に、図９に示したように、丸棒状の棒ヤスリ５６を、カッターリンク２０上端に立体的に複雑に切削形成された刃部２６の目立て面に合わせて、所定角度傾斜させて、該刃部の目立て面に隙間なく押し当てた状態としている。そして、その棒ヤスリ５６を刃部２６の目立て面に沿って前方にフリーハンドで移動させている。
そのために、かなりの熟練者が全神経を目立てを行うカッターリンク上端の刃部２６の刃先と棒ヤスリ５６とに集中させたとしても、新品刃と同じように、カッターリンクの全ての刃部２６を、その目立て角度が同一となるように規則正しく目立てできなかった。その結果、次のような問題点が発生した。
１．フリーハンドで目立てを行うために、カッターリンクの全ての刃部２６の刃先角度が違ってしまい、その刃部２６の切れ味も良くなく、目立て後の刃部２６の切れ味が、新品刃に比べて、早期に悪化してしまった。
２．目立て作業者の利き手によって、カッターリンク上端の右後方に傾斜する刃部２６と左後方に傾斜する刃部２６との目立て角度が違ってしまい、そのカッターリンク２０による木材切断速度が、右左で違ってしまった。そのために、木材切断箇所に切れ曲がりが起きて、木材を奇麗に切断できなかった。
３．カッターリンク上端の刃部２６内側の溝部に棒ヤスリ５６胴部を置いて目立てを行うために、そのカッターリンクの刃部２６内側の溝部を必要以上に深く削り込み過ぎてしまった。そして、そのカッターリンク２０の刃先形状が必要以上に鋭く尖ったフック状態となって、チェンソー１０のキックバック発生の一因となってしまった。ここで、キックバックとは、ソーチェン１４がガイドバー１２周縁を高速巡回している時に、そのソーチェン１４の先端部が木材等に触れると、チェンソー１０がソーチェン１４の反回転方向に激しく弾き返される現象をいう。そして、そのキックバック現象が、重大な人身事故を誘発した。
４．上記のようにカッターリンクの刃部２６の目立てをフリーハンドで行ったチェンソー１０は、切れ味が悪く、それが遠因で、チェンソー１０の寿命を縮めたり、チェンソー１０に種々のトラブルを発生させたり、不必要にチェンソー１０駆動用のガソリン燃料を消費させたり、チェンソー作業者に不必要な体力の消耗を課して、チェンソー作業者の疲労を早めたりした。そして、チェンソー作業の能率低下とコストアップの原因となった。
【０００３】
このような問題点を解消するために、従来より、種々の目立て機器が開発され、その一部の機器は、商品化されて、販売されている。
しかしながら、それらの機器は、様々な欠点を有していて、一般に広く利用されていない。その１例を挙げると、目立て作業に際して、ソーチェン１４をガイドバー１２からいちいち取り外さなけばならないものや、多数のネジを緩めたり締め付けたりして、目立て用の棒ヤスリ５６をセットしなければならないものや、目立て案内ヤスリゲージを目立てをするカッターリンク２０の１個ごとにセッティングし直さなければならないものなどである。そのために、チェンソー作業者からは、一日も早く、誰が目立てをしても、短時間に簡単に新品刃と同様に、ソーチェンに並ぶカッターリンクの刃部２６の目立てを、規則正しく理想的にかつ最高切れ味に行うことができる、従来の機器の欠点を取り除いた、安価で使い勝手の良い目立て機器の出現が、熱望されていた。
【０００４】
本発明は、このような課題に鑑みてなされたもので、ソーチェンに並ぶカッターリンクの刃部の目立てを、規則正しく理想的にかつ最高切れ味に行うことができる、安価で使い勝手の良い、チェンソー刃の目立て装置（以下、目立て装置という）を提供することを目的としている。
【０００５】
【課題を解決するための手段】
このような目的を達成するために、本発明の目立て装置は、チェンソーのガイドバー周縁を巡回するソーチェンに並ぶカッターリンク上端の右後方に傾斜する刃部の目立て面とほぼ同じ方向を向く倣い面を持つ、ガイドバーの左側の所定部位に配置された左定規フレームと、同じソーチェンに並ぶカッターリンク上端の左後方に傾斜する刃部の目立て面とほぼ同じ方向を向く倣い面を持つ、ガイドバーの右側の所定部位に配置された右定規フレームとを持っている。
また、前記カッターリンク上端の右後方に傾斜する刃部目立て用の上棒ヤスリとカッターリンク上端の左後方に傾斜する刃部目立て用の下棒ヤスリとをそれぞれ上下に横に並べて把持したヤスリホルダと、該ヤスリホルダを前後に摺動自在に支持するガイドフレームとを持っている。
また、前記ヤスリホルダに把持された上棒ヤスリが目立てを行うソーチェンのカッターリンク上端の右後方に傾斜する刃部の目立て面に押し当てられた状態となるように、ガイドフレームをソーチェンを跨いで前記左定規フレームの倣い面の所定部位に沿わせて着脱自在に装着したり、又は前記ヤスリホルダに把持された下棒ヤスリが目立てを行うソーチェンのカッターリンク上端の左後方に傾斜する刃部の目立て面に押し当てられた状態となるように、ガイドフレームをソーチェンを跨いで前記右定規フレームの倣い面の所定部位に沿わせて着脱自在に装着したりする位置決め装着手段を持っている。
さらに、該位置決め装着手段により左定規フレーム又は右定規フレームの倣い面の所定部位に沿わせて装着されたガイドフレーム後部をヤスリホルダと共にガイドフレーム前部を中心に左定規フレーム又は右定規フレームの倣い面上で上方に回動させて、上棒ヤスリ又は下棒ヤスリを目立てを行うカッターリンク上端の右後方又は左後方に傾斜する刃部の目立て面からその上方に離脱させると共に、ガイドフレーム及びヤスリホルダをソーチェンの上方に離隔させたり、その上方に回動させたガイドフレーム後部をヤスリホルダと共にガイドフレーム前部を中心に左定規フレーム又は右定規フレームの倣い面上で下方に回動、復帰させて、前記位置決め装着手段により、ヤスリホルダの上棒ヤスリ又は下棒ヤスリが目立てを行うカッターリンク上端の右後方又は左後方に傾斜する刃部の目立て面に再び押し当てられた状態となるように、ガイドフレームを左定規フレーム又は右定規フレームの倣い面の所定部位に沿わせて再び装着したりする回動手段を備えている。
【０００６】
この目立て装置において、ソーチェンに並ぶカッターリンク上端の右後方に傾斜する刃部の目立てを行う場合には、位置決め装着手段により、ヤスリホルダに把持された上棒ヤスリがカッターリンク上端の右後方に傾斜する刃部の目立て面に押し当てられた状態となるように、その上棒ヤスリを把持したヤスリホルダを支持するガイドフレームを、ソーチェンを跨いで、そのカッターリンク上端の右後方に傾斜する刃部の目立て面とほぼ同じ方向を向く、ガイドバーの左側の所定部位に配置された左定規フレームの倣い面の所定部位に沿わせて、着脱自在に装着できる。
その際には、ソーチェンをガイドバー周縁に沿って前後に移動させて、上棒ヤスリが、その目立てを行うカッターリンク上端の右後方に傾斜する刃部の目立て面に隙間なく押し当てられた状態となるように、そのカッターリンクの位置を移動調整できる。
次いで、その左定規フレームの倣い面の所定部位に沿わせて装着されたガイドフレームに支持されたヤスリホルダをガイドフレームに沿って前方に摺動させて、そのヤスリホルダに把持された上棒ヤスリを、そのカッターリンク上端の右後方に傾斜する刃部の目立て面に押し当てながら、前方に移動させることができる。そして、そのカッターリンク上端の右後方に傾斜する刃部の目立てを、該刃部の目立て面に合わせて、上棒ヤスリにより、狂いなく一律に均一に容易かつ的確に行うことができる。
【０００７】
同様にして、ソーチェンに並ぶカッターリンク上端の左後方に傾斜する刃部の目立てを行う場合には、位置決め装着手段により、ヤスリホルダに把持された下棒ヤスリがカッターリンク上端の左後方に傾斜する刃部の目立て面に押し当てられた状態となるように、その下棒ヤスリを把持したヤスリホルダを支持するガイドフレームを、ソーチェンを跨いで、そのカッターリンク上端の左後方に傾斜する刃部の目立て面とほぼ同じ方向を向く、ガイドバーの右側の所定部位に配置された右定規フレームの倣い面の所定部位に沿わせて、着脱自在に装着できる。
その際には、ソーチェンをガイドバー周縁に沿って前後に移動させて、下棒ヤスリが、その目立てを行うカッターリンク上端の左後方に傾斜する刃部の目立て面に隙間なく押し当てられた状態となるように、そのカッターリンクの位置を移動調整できる。
次いで、その右定規フレームの倣い面の所定部位に沿わせて装着されたガイドフレームに支持されたヤスリホルダをガイドフレームに沿って前方に摺動させて、そのヤスリホルダに把持された下棒ヤスリを、そのカッターリンク上端の左後方に傾斜する刃部の目立て面に押し当てながら、前方に移動させることができる。そして、そのカッターリンク上端の左後方に傾斜する刃部の目立てを、該刃部の目立て面に合わせて、下棒ヤスリにより、狂いなく一律に均一に容易かつ的確に行うことができる。
【０００８】
また、このようにして、ヤスリホルダをガイドフレームに沿って前方に摺動させて、上棒ヤスリ又は下棒ヤスリによりソーチェンに並ぶ所定のカッターリンク上端の右後方又は左後方に傾斜する刃部の目立てを行った後には、回動手段を用いて、位置決め装着手段により左定規フレーム又は右定規フレームの倣い面の所定部位に沿わせて装着されたガイドフレーム後部を、ヤスリホルダと共に、ガイドフレーム前部を中心に左定規フレーム又は右定規フレームの倣い面上で上方に回動させることができる。そして、ヤスリホルダに把持された上棒ヤスリ又は下棒ヤスリを目立てを行う所定のカッターリンク上端の右後方又は左後方に傾斜する刃部の目立て面からその上方に離脱させると共に、ガイドフレーム及びヤスリホルダをソーチェンの上方に離隔させることができる。そして、その上棒ヤスリ及び下棒ヤスリ棒を把持したヤスリホルダを、ソーチェンのカッターリンク等に邪魔されずに、ガイドフレームに沿って後方に円滑に摺動、復帰させることができる。
次いで、回動手段を用いて、その上方に回動させたガイドフレーム後部を、ヤスリホルダと共に、ガイドフレーム前部を中心に左定規フレーム又は右定規フレームの倣い面上で下方に回動、復帰させることができる。そして、位置決め装着手段により、そのガイドフレームに支持されたヤスリホルダの上棒ヤスリ又は下棒ヤスリが、目立てを行う所定のカッターリンク上端の右方向又は左後方に傾斜する刃部の目立て面に再び押し当てられた状態となるように、ガイドフレームを右定規フレーム又は左定規フレームの倣い面の所定部位に沿わせて再び装着できる。そして、ヤスリホルダをガイドフレームに沿って前方に再び摺動させて、ヤスリホルダに把持された上棒ヤスリ又は下棒ヤスリにより、所定のカッターリンク上端の右後方又は左後方に傾斜する刃部の目立てを再び行うことができる。
以下、同様の操作を繰り返し行って、所定のカッターリンク上端の右後方又は左後方に傾斜する刃部の目立てを完璧に行うことができる。
【０００９】
また、このようにして、所定のカッターリンク上端の右後方又は左後方に傾斜する刃部の目立てを完璧に行った後に、ソーチェンに並ぶ次の所定のカッターリンク上端の右後方又は左後方に傾斜する刃部の目立てを行う際には、回動手段を用いて、ガイドフレーム後部をヤスリホルダと共にガイドフレーム前部を中心に左定規フレーム又は右定規フレームの倣い面上で上方に回動させることができる。そして、ヤスリホルダに把持された上棒ヤスリ又は下棒ヤスリを目立てを行った所定のカッターリンク上端の刃部の目立て面からその上方に離脱させると共に、ガイドフレーム及びヤスリホルダをソーチェンの上方に離隔させることができる。そして、ソーチェンを、上棒ヤスリ及び下棒ヤスリを把持したヤスリホルダやガイドフレームに邪魔されずに、ガイドバー周縁を所定距離巡回させることができる。そして、ソーチェンに並ぶ次の目立てを行う所定のカッターリンク上端の右後方又は左後方に傾斜する刃部の上方に、ヤスリホルダの上棒ヤスリ又は下棒ヤスリを位置させることができる。
次いで、回動手段を用いて、その上方に回動させたガイドフレーム後部をヤスリホルダと共にガイドフレーム前部を中心に左定規フレーム又は右定規フレームの倣い面上で下方に回動、復帰させることができる。そして、位置決め装着手段により、そのガイドフレームに支持されたヤスリホルダの上棒ヤスリ又は下棒ヤスリが、ソーチェンに並ぶ次の目立てを行う所定のカッターリンク上端の右方向又は左後方に傾斜する刃部の目立て面に押し当てられた状態となるように、ガイドフレームを左定規フレーム又は右定規フレームの倣い面の所定部位に沿わせて再び装着できる。そして、ヤスリホルダをガイドフレームに沿って前方に摺動させて、ヤスリホルダに把持された上棒ヤスリ又は下棒ヤスリにより、その次の所定のカッターリンク上端の刃部の目立てを行うことができる。
以下、前述と同様な操作を繰り返し行って、そのソーチェンに並ぶ次の所定のカッターリンク上端の右方向又は左方向に傾斜する刃部の目立てを、上棒ヤスリ又は下棒ヤスリにより、完璧に行うことができる。
また、そのような目立て操作を、ソーチェンに並ぶ全てのカッターリンク上端の右方向及び左方向に傾斜する刃部につき、順に行うことができる。そして、そのソーチェンに並ぶ全てのカッターリンク上端の刃部の目立てを完璧に行うことができる。
【００１０】
さらに、ヤスリホルダをガイドフレームに沿って前方に移動させて、そのヤスリホルダの上棒ヤスリ又は下棒ヤスリによりカッターリンク上端の右後方又は左後方に傾斜する刃部の目立てを行う際には、左定規フレーム又は右定規フレームの倣い面の所定部位に沿わせて装着されたガイドフレームに支持されたヤスリホルダを、左定規フレーム又は右定規フレームとガイドフレームとの間に存在する機械的なガタを利用して、右方向又は左方向に微回転させることができる。そして、そのヤスリホルダに把持された上棒ヤスリ又は下棒ヤスリをカッターリンク上端の右後方又は左後方に傾斜する刃部の目立て面に適切なヤスリ切削圧で押し付けることができる。そして、そのカッターリンク上端の右後方又は左後方に傾斜する刃部の目立て面を上棒ヤスリ又は下棒ヤスリにより極めて理想的に研削できる。
【００１１】
本発明の目立て装置においては、上棒ヤスリ又は下棒ヤスリにより目立てを行うカッターリンク上端の右後方又は左後方に傾斜する刃部の上端面に摺動自在に押接させて、そのカッターリンクをガイドバー周縁に動かぬように押さえ込むと共に、その目立てを行うカッターリンク上端の右後方又は左後方に傾斜する刃部の目立て面から上棒ヤスリ又は下棒ヤスリが外れぬように上棒ヤスリ又は下棒ヤスリをカッターリンクに対して上下に動かぬように位置決めするための押圧バーをヤスリホルダに備えると良い。
押圧バーは、上棒ヤスリ又は下棒ヤスリにより目立てを行うカッターリンク上端の刃部をヤスリホルダ上方から目視可能な形状に形成すると良い。
【００１２】
その場合には、ヤスリホルダをガイドフレームに沿って前方に摺動させて、該ヤスリホルダの上棒ヤスリ又は下棒ヤスリによりカッターリンク上端の右後方又は左後方に傾斜する刃部の目立てを行う際に、ヤスリホルダに備えられた押圧バーを、目立てを行うカッターリンク上端の右後方又は左後方に傾斜する刃部の上端面に摺動自在に押接させることができる。そして、その押圧バーにより、その目立てを行うカッターリンクをガイドバー周縁に動かぬように押さえ込むことができる。それと共に、そのカッターリンク上端の刃部の上端面に摺動自在に押接させた押圧バーにより、その目立てを行うカッターリンク上端の右後方又は左後方に傾斜する刃部の目立て面から上棒ヤスリ又は下棒ヤスリが外れぬように、押圧バーが備えられたヤスリホルダに把持された上棒ヤスリ又は下棒ヤスリをカッターリンクに対して上下に動かぬように位置決めできる。そして、そのカッターリンク上端の右後方又は左後方に傾斜する刃部の目立てを、上棒ヤスリ又は下棒ヤスリにより、常に一律に確実に行うことができる。
また、カッターリンク上端の右後方又は左後方に傾斜する刃部の上端面に押接させた押圧バーに妨げられずに、目立てを行うカッターリンク上端の刃部をヤスリホルダ上方から目視できる。そして、そのカッターリンク上端の刃部が上棒ヤスリ又は下棒ヤスリにより的確に目立てされているか否かを容易かつ的確に確認できる。
【００１３】
また、本発明の目立て装置においては、前記左定規フレームと右定規フレームとを、それぞれガイドバーの左側と右側との所定部位に配置するための、配置手段を備えると良い。
配置手段は、前記ソーチェンがガイドバー周縁を巡回可能なように、ガイドバーをその両側から左右一対の挟み口により挟み込んで基台上に起立させて固定するためのバイスと、該バイスの左側の挟み口に前記左定規フレームを該左定規フレームのバイスに対しての上下方向の位置を移動調整可能にかつ該左定規フレームのバイスに対しての前後方向の傾斜角度を回転調整可能に支持するための左支持手段と、該バイスの右側の挟み口に前記右定規フレームを該右定規フレームのバイスに対しての上下方向の位置を移動調整可能にかつ該右定規フレームのバイスに対しての前後方向の傾斜角度を回転調整可能に支持するための右支持手段とから構成すると良い。
【００１４】
その場合には、バイスを用いて、ソーチェンがガイドバー周縁を巡回可能なように、ガイドバーをその両側からバイスの左右一対の挟み口により挟み込んで、ガイドバーを基台上に動かぬように起立させて固定できる。
また、左支持手段を用いて、左定規フレームをガイドバーの左側に位置するバイスの左側の挟み口に支持できる。それと共に、左支持手段を用いて、バイスに対しての左定規フレームの上下方向の位置を移動調整したり、バイスに対しての左定規フレームの前後方向の傾斜角度を回転調整したりできる。そして、左定規フレームをガイドバーの左側の所定部位に配置できる。そして、前記位置決め装着手段により、ガイドフレームをソーチェンを跨いで左定規フレームの倣い面の所定部位に沿わせて装着した状態において、そのガイドフレームに支持されたヤスリホルダの上棒ヤスリを、目立てを行うカッターリンク上端の右後方に傾斜する刃部の目立て面に的確に押し当てることができる。そして、その上棒ヤスリにより、そのカッターリンク上端の右後方に傾斜する刃部の目立てを、狂いなく一律に的確に的確に行うことができる。
同様にして、右支持手段を用いて、右定規フレームをガイドバーの右側に位置するバイスの右側の挟み口に支持できる。それと共に、右支持手段を用いて、バイスに対しての右定規フレームの上下方向の位置を移動調整したり、バイスに対しての右定規フレームの前後方向の傾斜角度を回転調整したりできる。そして、右定規フレームをガイドバーの右側の所定部位に配置できる。そして、前記位置決め装着手段により、ガイドフレームをソーチェンを跨いで右定規フレームの倣い面の所定部位に沿わせて装着した状態において、そのガイドフレームに支持されたヤスリホルダの下棒ヤスリを、目立てを行うカッターリンク上端の左後方に傾斜する刃部の目立て面に的確に押し当てることができる。そして、その下棒ヤスリにより、そのカッターリンク上端の左後方に傾斜する刃部の目立てを、狂いなく一律に的確に的確に行うことができる。
【００１５】
【発明の実施の形態】
図１ないし図５は本発明の目立て装置の好適な実施の形態を示し、図１はその使用状態平面図、図２はその左定規フレームと右定規フレームの配置状態説明図、図３はそのヤスリホルダを支持するガイドフレームの平面図、図４はそのヤスリホルダを支持するガイドフレームの底面図、図５はそのガイドフレームを左定規フレームに装着した状態の裏面図である。以下に、この目立て装置を説明する。
【００１６】
この目立て装置は、図６と図７に示したような、ソーチェン１４に並ぶカッターリンク上端の刃部２２、２４を目立てするのに用いられる。ソーチェン１４には、右後方に傾斜する刃部２２を持つカッターリンク２０と、左後方に傾斜する刃部２４を持つカッターリンク２０とが、交互に並んでいる。
【００１７】
この目立て装置においては、図２に示したように、チェンソー１０のガイドバー１２周縁を巡回するソーチェン１４に並ぶカッターリンク２０上端の右後方に傾斜する刃部２２の目立て面とほぼ同じ方向を向く倣い面３２を持つ左定規フレーム３０が、ガイドバー１２の左側の所定部位に配置されている。それと共に、同じソーチェン１４に並ぶカッターリンク２０上端の左後方に傾斜する刃部２４の目立て面とほぼ同じ方向を向く倣い面４２を持つ右定規フレーム４０が、ガイドバー１２の右側の所定部位に配置されている。
左定規フレーム３０と、右定規フレーム４０とは、金属製の帯板を折り曲げたり切断したりして、形成されている。
【００１８】
また、この目立て装置は、図３と図４に示したような、カッターリンク２０上端の右後方に傾斜する刃部２２目立て用の上棒ヤスリ５２とカッターリンク２０上端の左後方に傾斜する刃部２４目立て用の下棒ヤスリ５４とをそれぞれ上下に横に並べて把持したヤスリホルダ５０を持っている。ヤスリホルダ５０は、左定規フレームの倣い面３２又は右定規フレームの倣い面４２に沿わせて装着するガイドフレーム６０に、リニアスライドベアリング等を介して、前後に円滑に摺動自在に支持されている。
【００１９】
また、この目立て装置には、図１に示したように、ヤスリホルダ５０に把持された上棒ヤスリ５２が目立てを行うカッターリンク上端の右後方に傾斜する刃部２２の目立て面に押し当てられた状態となるように、ヤスリホルダ５０を支持するガイドフレーム６０をソーチェン１４を跨いで左定規フレームの倣い面３２の所定部位に沿わせて着脱自在に装着したり、又はヤスリホルダ５０に把持された下棒ヤスリ５４が目立てを行うカッターリンク上端の左後方に傾斜する刃部２４の目立て面に押し当てられた状態となるように、ヤスリホルダ５０を支持するガイドフレーム６０をソーチェン１４を跨いで右定規フレームの倣い面４２の所定部位に沿わせて着脱自在に装着したりする位置決め装着手段７０が備えられている。
位置決め装着手段７０は、図２に示したような、左定規フレームの倣い面３２先端の所定部位及び右定規フレームの倣い面４２先端の所定部位に形成されたほぼＵ字状の切り欠き７２と、左定規フレームの倣い面３２後部周縁の所定部位及び右定規フレームの倣い面４２後部周縁の所定部位に形成されたほぼＬ字状の切り欠き７４と、図４に示したような、その切り欠き７２、７４に対応させてガイドフレーム６０裏面の前端と中途部の所定部位に突設された、切り欠き７２、７４内側に離脱自在に掛止させる突起７６、７８とから構成されている。そして、それらの突起７６、７８を切り欠き７２、７４内側に掛止させることにより、ガイドフレーム６０を左定規フレームの倣い面３２又は右定規フレームの倣い面４２の所定部位に沿わせて着脱自在に装着できるように構成されている。
【００２０】
さらに、この目立て装置には、図５に示したような、位置決め装着手段７０により左定規フレームの倣い面３２又は右定規フレームの倣い面４２の所定部位に沿わせて装着されたガイドフレーム６０後部をヤスリホルダ５０と共にガイドフレーム６０前部を中心に右定規フレームの倣い面３２上又は左定規フレームの倣い面４２上で上方に回動させて、ヤスリホルダ５０に把持された上棒ヤスリ５２又は下棒ヤスリ５４を目立てを行うカッターリンク上端の右後方に傾斜する刃部２２又は左後方に傾斜する刃部２４の目立て面からその上方に離脱させると共に、ガイドフレーム６０及びヤスリホルダ５０をソーチェン１４の上方に離隔させたり、その上方に回動させたガイドフレーム６０後部をヤスリホルダ５０と共にガイドフレーム６０前部を中心に左定規フレームの倣い面３２上又は右定規フレームの倣い面４２上で下方に回動、復帰させて、前記位置決め装着手段７０により、ヤスリホルダ５０の上棒ヤスリ５２又は下棒ヤスリ５４が目立てを行うカッターリンク上端の右後方に傾斜する刃部２２又は左後方に傾斜する刃部２４の目立て面に再び押し当てられた状態となるように、ガイドフレーム６０を左定規フレームの倣い面３２又は右定規フレームの倣い面４２の所定部位に沿わせて再び装着したりする回動手段９０が備えられている。
回動手段９０は、前記のガイドフレーム裏面の突起７６、７８と左定規フレーム又は右定規フレームの切り欠き７２、７４とから構成されていて、図５に示したように、その左定規フレーム又は右定規フレーム先端の切り欠き７２内側に掛止されたガイドフレーム裏面前部の突起７６を軸として、同じガイドフレーム裏面中途部の突起７８を該突起が掛止された切り欠き７４内側からその上方に抜け出させて、ガイドフレーム６０後部を、右定規フレームの倣い面３２上又は左定規フレームの倣い面４２上で上方（図５の矢印方向）に回動させることができる構造をしている。また、その上方に回動させたガイドフレーム６０後部を、右定規フレームの倣い面３２上又は左定規フレームの倣い面４２上で下方に回動、復帰させて、ガイドフレーム裏面中途部の突起７８を左定規フレーム又は右定規フレーム後部の切り欠き７４内側に再び掛止させることができる構造をしている。
そして、前記位置決め装着手段７０により、ヤスリホルダ５０の上棒ヤスリ５２又は下棒ヤスリ５４が目立てを行うカッターリンク上端の右後方に傾斜する刃部２２又は左後方に傾斜する刃部２４の目立て面に再び押し当てられた状態となるように、ヤスリホルダ５０を支持するガイドフレーム６０を左定規フレームの倣い面３２又は右定規フレームの倣い面４２の所定部位に沿わせて再び装着できる構造をしている。
【００２１】
図１ないし図５に示した目立て装置は、以上のように構成されていて、この目立て装置を用いて、ソーチェン１４に並ぶカッターリンク上端の右後方に傾斜する刃部２２の目立てを行う場合には、図１に示したように、位置決め装着手段７０により、ヤスリホルダ５０に把持された上棒ヤスリ５２が目立てを行うカッターリンク上端の右後方に傾斜する刃部２２の目立て面に押し当てられた状態となるように、ヤスリホルダ５０を支持するガイドフレーム６０を、ソーチェン１４を跨いで、そのカッターリンク上端の右後方に傾斜する刃部２２の目立て面とほぼ同じ方向を向くガイドバー１２の左側の所定部位に配置された左定規フレームの倣い面３２の所定部位に沿わせて、着脱自在に装着する。
その際には、ソーチェン１４をガイドバー１２周縁に沿って前後に移動させて、上棒ヤスリ５２が、その目立てを行うカッターリンク上端の右後方に傾斜する刃部２２の目立て面に隙間なく押し当てられた状態となるように、そのカッターリンク２０の位置を移動調整する。
次いで、その左定規フレームの倣い面３２の所定部位に沿わせて装着されたガイドフレーム６０に支持されたヤスリホルダ５０を、ガイドフレーム６０に沿って前方に摺動させる。そして、そのヤスリホルダ５０に把持された上棒ヤスリ５２を、そのカッターリンク上端の右後方に傾斜する刃部２２の目立て面に押し当てながら、前方に移動させる。
すると、そのカッターリンク上端の右後方に傾斜する刃部２２の目立てを、該刃部の目立て面に合わせて、上棒ヤスリ５２により狂いなく一律に均一に容易かつ的確に行うことができる。
【００２２】
同様にして、この目立て装置を用いて、ソーチェン１４に並ぶカッターリンク上端の左後方に傾斜する刃部２４の目立てを行う場合には、位置決め装着手段７０により、ヤスリホルダ５０に把持された下棒ヤスリ５４が目立てを行うカッターリンク上端の左後方に傾斜する刃部２４の目立て面に押し当てられた状態となるように、ヤスリホルダ５０を支持するガイドフレーム６０を、ソーチェン１４を跨いで、そのカッターリンク上端の左後方に傾斜する刃部２４の目立て面とほぼ同じ方向を向くガイドバー１２の右側の所定部位に配置された右定規フレームの倣い面４２の所定部位に沿わせて、着脱自在に装着する。
その際には、ソーチェン１４をガイドバー１２周縁に沿って前後に移動させて、下棒ヤスリ５４が、その目立てを行うカッターリンク上端の左後方に傾斜する刃部２４の目立て面に隙間なく押し当てられた状態となるように、そのカッターリンク２０の位置を移動調整する。
次いで、その右定規フレームの倣い面４２の所定部位に沿わせて装着されたガイドフレーム６０に支持されたヤスリホルダ５０をガイドフレーム６０に沿って前方に摺動させる。そして、そのヤスリホルダ５０に把持された下棒ヤスリ５４を、そのカッターリンク上端の左後方に傾斜する刃部２４の目立て面に押し当てながら、前方に移動させる。
すると、そのカッターリンク上端の左後方に傾斜する刃部２４の目立てを、該刃部の目立て面に合わせて、下棒ヤスリ５４により狂いなく一律に均一に容易かつ的確に行うことができる。
【００２３】
また、このようにして、ヤスリホルダ５０をガイドフレーム６０に沿って前方に摺動させて、上棒ヤスリ５２又は下棒ヤスリ５４によりソーチェン１４に並ぶ所定のカッターリンク上端の右後方に傾斜する刃部２２又は左後方に傾斜する刃部２４の目立てを行った後には、回動手段９０を用いて、位置決め装着手段７０により左定規フレームの倣い面３２又は右定規フレームの倣い面４２の所定部位に沿わせて装着されたガイドフレーム６０後部を、ヤスリホルダ５０と共に、ガイドフレーム６０前部を中心に左定規フレームの倣い面３２上又は右定規フレームの倣い面４２上で上方に回動させる。そして、ヤスリホルダ５０に把持された上棒ヤスリ５２又は下棒ヤスリ５４を目立てを行う所定のカッターリンク上端の右後方に傾斜する刃部２２又は左後方に傾斜する刃部２４の目立て面からその上方に離脱させると共に、ガイドフレーム６０及びヤスリホルダ５０をソーチェン１４の上方に離隔させる。
すると、その上棒ヤスリ５２及び下棒ヤスリ棒５４を把持したヤスリホルダ５０を、ソーチェンのカッターリンク２０等に邪魔されずに、ガイドフレーム６０に沿って後方に円滑に摺動、復帰させることができる。
次いで、回動手段９０を用いて、その上方に回動させたガイドフレーム６０後部を、ヤスリホルダ５０と共に、ガイドフレーム６０前部を中心に左定規フレームの倣い面３２上又は右定規フレームの倣い面４２上で下方に回動、復帰させる。そして、位置決め装着手段７０により、ガイドフレーム６０に支持されたヤスリホルダ５０の上棒ヤスリ５２又は下棒ヤスリ５４が、目立てを行う所定のカッターリンク上端の右方向に傾斜する刃部２２又は左後方に傾斜する刃部２４の目立て面に再び押し当てられた状態となるように、ガイドフレーム６０を左定規フレームの倣い面３２又は右定規フレームの倣い面４２の所定部位に沿わせて再び装着する。そして、ヤスリホルダ５０をガイドフレーム６０に沿って前方に再び摺動させる。
すると、そのヤスリホルダ５０に把持された上棒ヤスリ５２又は下棒ヤスリ５４により、所定のカッターリンク上端の右後方に傾斜する刃部２２又は左後方に傾斜する刃部２４の目立てを再び行うことができる。
以下、同様の操作を繰り返し行うこにより、所定のカッターリンク上端の右後方に傾斜する刃部２２又は左後方に傾斜する刃部２４の目立てを完璧に行うことができる。
【００２４】
また、このようにして、所定のカッターリンク上端の右後方に傾斜する刃部２２又は左後方に傾斜する刃部２４の目立てを完璧に行った後に、ソーチェン１４に並ぶ次の所定のカッターリンク上端の右後方に傾斜する刃部２２又は左後方に傾斜する刃部２４の目立てを行う際には、回動手段９０を用いて、ガイドフレーム６０後部をヤスリホルダ５０と共にガイドフレーム６０前部を中心に左定規フレームの倣い面３２上又は右定規フレームの倣い面４２上で上方に回動させる。
そして、ヤスリホルダ５０に把持された上棒ヤスリ５２又は下棒ヤスリ５４を目立てを行った所定のカッターリンク上端の右後方に傾斜する刃部２２又は左後方に傾斜する刃部２４の目立て面からその上方に離脱させると共に、ガイドフレーム６０及びヤスリホルダ５０をソーチェン１４の上方に離隔させる。
すると、ソーチェン１４を、上棒ヤスリ５２及び下棒ヤスリ５４を把持したヤスリホルダ５０やガイドフレーム６０に邪魔されずに、ガイドバー１２周縁を所定距離巡回させることができる。そして、そのソーチェン１４に並ぶ次の目立てを行う所定のカッターリンク上端の右後方に傾斜する刃部２２又は左後方に傾斜する刃部２４の上方に、ヤスリホルダ５０の上棒ヤスリ５２又は下棒ヤスリ５４を位置させることができる。
次いで、回動手段９０を用いて、その上方に回動させたガイドフレーム６０後部をヤスリホルダ５０と共にガイドフレーム６０前部を中心に左定規フレームの倣い面３２上又は右定規フレームの倣い面４２上で下方に回動、復帰させる。そして、位置決め装着手段７０により、ガイドフレーム６０に支持されたヤスリホルダ５０の上棒ヤスリ５２又は下棒ヤスリ５４が、ソーチェン１４に並ぶ次の目立てを行う所定のカッターリンク上端の右方向に傾斜する刃部２２又は左後方に傾斜する刃部２４の目立て面に押し当てられた状態となるように、ガイドフレーム６０を左定規フレームの倣い面３２又は右定規フレームの倣い面４２の所定部位に沿わせて再び装着する。そして、ヤスリホルダ５０をガイドフレーム６０に沿って前方に摺動させる。
すると、そのヤスリホルダ５０の上棒ヤスリ５２又は下棒ヤスリ５４により、その次の所定のカッターリンク上端の右後方に傾斜する刃部２２又は左後方に傾斜する刃部２４の目立てを行うことができる。
以下、前述と同様な操作を繰り返し行うことにより、そのソーチェン１４に並ぶ次の所定のカッターリンク上端の右方向に傾斜する刃部２２又は左方向に傾斜する刃部２４の目立てを、上棒ヤスリ５２又は下棒ヤスリ５４により、完璧に行うことができる。
また、このような目立て操作を、ソーチェン１４に並ぶカッターリンク上端の右方向に傾斜する刃部２２及び左方向に傾斜する刃部２２につき順に行うことにより、そのソーチェン１４に並ぶ全てのカッターリンク上端の右後方に傾斜する刃部２２及び左後方に傾斜する刃部２４の目立てを完璧に行うことができる。
【００２５】
さらに、ガイドフレーム裏面の突起７６、７８を左定規フレーム又は右定規フレームの切り欠き７２、７４に掛止させた状態で、ヤスリホルダ５０をガイドフレーム６０に沿って前方に移動させて、そのヤスリホルダの上棒ヤスリ５２又は下棒ヤスリ５４によりカッターリンク上端の右後方に傾斜する刃部２２又は左後方に傾斜する刃部２４の目立てを行う際には、左定規フレームの倣い面３２又は右定規フレームの倣い面４２の所定部位に装着されたガイドフレーム６０に支持されたヤスリホルダ５０を、その裏面の突起７６、７８を通る線をほぼ軸として、機械的なガタを利用して、右方向又は左方向に微回転させる。そして、そのヤスリホルダ５０に把持された上棒ヤスリ５２又は下棒ヤスリ５４をカッターリンク上端の右後方に傾斜する刃部２２又は左後方に傾斜する刃部２４の目立て面に適切なヤスリ切削圧で押し付ける。
すると、そのカッターリンク上端の右後方に傾斜する刃部２２又は左後方に傾斜する刃部２４の目立て面を上棒ヤスリ５２又は下棒ヤスリ５４により極めて理想的に研削できる。
【００２６】
この目立て装置においては、図１に示したように、上棒ヤスリ５２又は下棒ヤスリ５４により目立てを行うカッターリンク上端の右後方に傾斜する刃部２２又は左後方に傾斜する刃部２４の上端面に摺動自在に押接させて、そのカッターリンク２０を動かぬようにガイドバー１２周縁に押さえ込むと共に、その目立てを行うカッターリンク上端の右後方に傾斜する刃部２２又は左後方に傾斜する刃部２４の目立て面から上棒ヤスリ５２又は下棒ヤスリ５４が外れぬように上棒ヤスリ５２又は下棒ヤスリ５４をカッターリンク２０に対して上下に動かぬように位置決めするための押圧バー１００を、ヤスリホルダ５０に備えると良い。
押圧バー１００は、図３と図４に示したように、薄い帯板から形成して、上棒ヤスリ５２と下棒ヤスリ５４との近くのヤスリホルダ５０の上下に横方向に起立させて並べて架設すると良い。そして、その押圧バー１００に視界を遮られることなく、上棒ヤスリ５２又は下棒ヤスリ５４により目立てを行うカッターリンク上端の右後方に傾斜する刃部２２又は左後方に傾斜する刃部２４を、ヤスリホルダ５０上方から目視可能な構造とすると良い。
【００２７】
その場合には、図１に示したように、ヤスリホルダ５０をガイドフレーム６０に沿って前方に摺動させて、該ヤスリホルダに把持された上棒ヤスリ５２又は下棒ヤスリ５４によりカッターリンク上端の右後方に傾斜する刃部２２又は左後方に傾斜する刃部２４の目立てを行う際に、ヤスリホルダ５０に架設された押圧バー１００を、その目立てを行うカッターリンク上端の右後方に傾斜する刃部２２又は左後方に傾斜する刃部２４の上端面に摺動自在に押接させることができる。
そして、その押圧バー１００により、ヤスリホルダ５０に把持された上棒ヤスリ５２又は下棒ヤスリ５４を前方に移動させて目立てを行うカッターリンク２０をガイドバー１２周縁に動かぬように押さえ込むことができる。それと共に、その押圧バー１００により、ヤスリホルダ５０に把持された上棒ヤスリ５２又は下棒ヤスリ５４を前方に移動させて目立てを行うカッターリンク上端の右後方に傾斜する刃部２２又は左後方に傾斜する刃部２４の目立て面から上棒ヤスリ５２又は下棒ヤスリ５４が外れぬように、押圧バー１００が架設されたヤスリホルダ５０に把持された上棒ヤスリ５２又は下棒ヤスリ５４をカッターリンク２０に対して上下に動かぬように位置決めできる。そして、そのカッターリンクの右後方に傾斜する刃部２２又は左後方に傾斜する刃部２４の目立てを、上棒ヤスリ５２又は下棒ヤスリ５４により狂いなく一律に的確に行うことができる。
また、そのカッターリンク上端の刃部２２又は２４の上端面に押接させた押圧バー１００に視界を遮られずに、上棒ヤスリ５２又は下棒ヤスリ５４により目立てを行うカッターリンク上端の右後方に傾斜する刃部２２又は左後方に傾斜する刃部２４をヤスリホルダ５０上方から目視できる。そして、そのカッターリンク上端の右後方に傾斜する刃部２２又は左後方に傾斜する刃部２４が上棒ヤスリ５２又は下棒ヤスリ５４により的確に目立てされているか否かを容易かつ的確に確認できる。
【００２８】
また、この目立て装置においては、図１と図２に示したような、左定規フレーム３０と右定規フレーム４０とを、それぞれガイドバー１２の左側と右側との所定部位に配置するための、配置手段１１０を備えると良い。
配置手段１１０は、図１と図２に示したように、ソーチェン１４がガイドバー１２周縁を巡回可能なように、ガイドバー１２をその両側から左右一対の挟み口１２２、１２４により挟み込んで基台１５０上に起立させて固定するためのバイス１２０と、該バイスの左側の挟み口１２２に左定規フレーム３０を該左定規フレームのバイス１２０に対しての上下方向の位置を移動調整可能にかつ該左定規フレームのバイス１２０に対しての前後方向の傾斜角度を回転調整可能に支持するための左支持手段１３０と、該バイスの右側の挟み口１２４に右定規フレーム４０を該右定規フレームのバイス１２０に対しての上下方向の位置を移動調整可能にかつ該右定規フレームのバイス１２０に対しての前後方向の傾斜角度を回転調整可能に支持するための右支持手段１４０とから構成すると良い。
左支持手段１３０と、右支持手段１４０とは、複数枚の金属製の帯板を折り曲げたり切断したりして所定形状に形成し、それらの複数枚の帯板を、その相互位置関係を調整可能なように、ボルトで互いに連結して形成すると良い。
【００２９】
その場合には、その配置手段１１０のバイス１２０を用いて、ソーチェン１４がガイドバー１２周縁を巡回可能なように、ガイドバー１２をその両側からバイスの左右一対の挟み口１２２、１２４により挟み込んで、ガイドバー１２を、基台１５０上に動かぬように起立させて固定できる。
また、左支持手段１３０を用いて、左定規フレーム３０をガイドバー１２の左側に位置するバイスの左側の挟み口１２２に支持できる。それと共に、左支持手段１３０を用いて、バイス１２０に対しての左定規フレーム３０の上下方向の位置を移動調整したり、バイス１２０に対しての左定規フレーム３０の前後方向の傾斜角度を回転調整したりできる。そして、左定規フレーム３０をガイドバー１２の左側の所定部位に配置できる。そして、位置決め装着手段７０により、ガイドフレーム６０をソーチェン１４を跨いで左定規フレームの倣い面３２の所定部位に沿わせて装着した際に、そのガイドフレーム６０に支持されたヤスリホルダ５０の上棒ヤスリ５２を、目立てを行うカッターリンク上端の右後方に傾斜する刃部２２の目立て面に的確に押し当てた状態とすることができる。そして、その上棒ヤスリ５２により、そのカッターリンク上端の右後方に傾斜する刃部２２の目立てを、該刃部の目立て面に合わせて、狂いなく一律に的確に的確に行うことができる。
同様にして、右支持手段１４０を用いて、右定規フレーム４０をガイドバー１２の右側に位置するバイスの右側の挟み口１２４に支持できる。それと共に、右支持手段１４０を用いて、バイス１２０に対しての右定規フレーム４０の上下方向の位置を移動調整したり、バイス１２０に対しての右定規フレーム４０の前後方向の傾斜角度を回転調整したりできる。そして、右定規フレーム４０をガイドバー１２の右側の所定部位に配置できる。そして、位置決め装着手段７０により、ガイドフレーム６０をソーチェン１４を跨いで右定規フレームの倣い面４２の所定部位に沿わせて装着した際に、そのガイドフレーム６０に支持されたヤスリホルダ５０の下棒ヤスリ５４を、目立てを行うカッターリンク上端の左後方に傾斜する刃部２４の目立て面に的確に押し当てた状態とすることができる。そして、その下棒ヤスリ５４により、そのカッターリンク上端の左後方に傾斜する刃部２４の目立てを、該刃部の目立て面に合わせて、狂いなく一律に均一に的確に行うことができる。
【００３０】
この目立て装置において、押圧バー１００は、ヤスリホルダ５０に備えずとも良く、押圧バー１００なしでも、ソーチェン１４に並ぶカッターリンクの右後方に傾斜する刃部２２又は左後方に傾斜する刃部２４の目立てを、ヤスリホルダ５０に把持された上棒ヤスリ５２又は下棒ヤスリ５４により行うことは、可能である。
また、左定規フレーム３０と右定規フレーム４０をガイドバー１２の左側と右側の所定部位にそれぞれ配置する配置手段１１０は、図１と図２に示した構造以外のものでも良い。
また、ヤスリホルダ５０、あるいは上棒ヤスリ５２又は下棒ヤスリ５４には、把手を備えて、ヤスリホルダ５０を上棒ヤスリ５２及び下棒ヤスリ５４と共にガイドフレーム６０に沿って手で前後に容易に摺動できるようにすると良い。
【００３１】
【発明の効果】
以上説明したように、本発明の目立て装置によれば、チェンソーのソーチェンに並ぶカッターリンクの刃部を、熟練を要することなく、誰がしても、神経をカッターリンク上端の刃部と棒ヤスリの削り面に集中させることなく、手数を掛けずに、未使用の新品ソーチェンのカッターリンク刃と同じ理想刃先形状に目立てできる。また、目立て用の棒ヤスリの削り面の研削圧力の方向、強弱、角度及び位置を一定にして、必要最小限の刃先研削量及び必要最小限の時間で、ソーチェンのカッターリンクの刃部を、新品刃同様の理想的切れ味に、目立てできる。そして、ソーチェン及び目立て用の棒ヤスリの寿命を飛躍的に延ばすことが可能となると同時に、ソーチェンのカッターリンクの刃部の目立ての不具合から起こるチェンソー作業の多くの諸問題を解消可能となる。
【図面の簡単な説明】
【図１】本発明の目立て装置の使用状態平面図である。
【図２】本発明の目立て装置の左定規フレームと右定規フレームの配置状態説明図である。
【図３】本発明の目立て装置のヤスリホルダを支持するガイドフレームの平面図である。
【図４】本発明の目立て装置のヤスリホルダを支持するガイドフレームの底面図である。
【図５】本発明の目立て装置のガイドフレームを左定規フレームに装着した状態の裏面図である。
【図６】ソーチェンの平面図である。
【図７】ソーチェンの正面図である。
【図８】カッターリンクの正面図である。
【図９】カッターリンク上端刃部の棒ヤスリによる目立て状態説明図である。
【図１０】チェンソーの概略構造説明図である。
【符号の説明】
１０　チェンソー
１２　ガイドバー
１４　ソーチェン
２０　カッターリンク
２２、２４、２６　カッターリンクの刃部
３０　左定規フレーム
３２　左定規フレームの倣い面
４０　右定規フレーム
４２　右定規フレームの倣い面
５０　ヤスリホルダ
５２　上棒ヤスリ
５４　下棒ヤスリ
６０　ガイドフレーム
７０　位置決め装着手段
９０　回動手段
１００　押圧バー
１１０　配置手段
１２０　バイス
１３０　左支持手段
１４０　右支持手段
１５０　基台
【図１】
2004142004.tif 000003
【図２】
2004142004.tif 000004
【図３】
2004142004.tif 000005
【図４】
2004142004.tif 000006
【図５】
2004142004.tif 000007
【図６】
2004142004.tif 000008
【図７】
2004142004.tif 000009
【図８】
2004142004.tif 000010
【図９】
2004142004.tif 000011
【図１０】
2004142004.tif 000012